(57)【特許請求の範囲】
【請求項１】
各球種のボールの握り方の指の位置を球体ボール上に表示してなる練習用ボールの製造方法であって、前記球体ボールを構成する上部半球体を半球体上部外側型と取外し交換可能な指型を装着した半球体上部内側型との間に成形材料を供給して、半球体内側面上に指形状が形成された上部半球体を成型し、前記球体ボールを構成する下部半球体を半球体下部外側型と取外し交換可能な指型を装着した半球体下部内側型との間に成形材料を供給して、半球体内側面上に指形状が形成された下部半球体を成型し、前記成型された上部半球体と前記成型された下部半球体とを接合して球体ボールを製造することを特徴とする練習用ボールの製造方法。
【請求項２】
各球種のボールの握り方の指の位置を球体ボール上に表示してなる練習用ボールの製造方法であって、前記球体ボールを構成する上部半球体を取外し交換可能な指型を装着した半球体上部外側型と半球体上部内側型との間に成形材料を供給して、半球体外側面上に指形状が形成された上部半球体を成型し、前記球体ボールを構成する下部半球体を取外し交換可能な指型を装着した半球体下部外側型と半球体下部内側型との間に成形材料を供給して、半球体外側面上に指形状が形成された下部半球体を成型し、前記成型された上部半球体と前記成型された下部半球体とを接合して球体ボールを製造することを特徴とする練習用ボールの製造方法。
【発明の詳細な説明】
【技術分野】
【０００１】
本発明は、カーブ、フォーク等の各球種変化球を簡単に投げる事が出来、投球練習としても有効な変化球等の練習用ボールに関するものである。本発明は、投手の各球種のボールの握り方を球体内側に白いボールを持った各球種の指表示し、透明な球体外側からみられるように表示し各球種の握り、球体内側の白いボールの指に合わせて球体外側に指を合わせて球体を握り、各球種を覚える為のボールに関するものである。
本発明は、各球種のボールの握り方の指を透明な球体内側に表示し、透明な球体外側から見える内側指表示の指の上に指を重ね透明な球体を握り持ち各球種の握り方を覚える為の野球、ソフトボールに関するものである。
【背景技術】
【０００２】
従来、投手が投げている球種を覚えるには人から教えてもらったり写真や本をみたりしてボールの握り方を教わり覚え投げていた、時には間違ったボールの握り方をしてしまう事もあった。
そのため、各球種のボールの握り方の指を透明な球体内側に印刷、シール、３Ｄ表示させるような発明が提案されていた（特許文献1参照）。
【先行技術文献】
【特許文献】
【０００３】
【特許文献１】特許第６５５４６２４号公報
【発明の概要】
【発明が解決しようとする課題】
【０００４】
そのために次のような問題点があった。透明な球体内側側面に印刷、シールなどで指手を表示する生産工程で時間が掛かって量産製造が出来なかった。透明な球体内側に各球種の握り方を成型表示生産過程を簡単に、量産できるようにした練習用ボールや製造方法が求められていた。
【課題を解決するための手段】
【０００５】
透明な球体内側表面に各球種のボールを握った時の各球種のボールを握った指位置を立体成型した練習用ボール。
野球、ソフトボールと同じ大きさの透明な球体内側表面に各球種のボールを握った時の指位置を、上下分割の中が空洞の透明な半球体内表面に各球種のボールを握った指を型成型表示し分割の透明な半球体上部と半球体下部を接合し透明球体ボールを作り、内部に成型された各球種ボールの指位置に透けて見える球体外側表面から指を重ね合わせ球体を握り各球種ボールの握り投げ方を覚える。
【発明の効果】
【０００６】
本発明は球種を覚えるには人から聞いたり、教わったりしていたのでいろいろな情報が入ってきて迷うこともあった、本発明は覚えたい球種のボールの握り方をボールのどの部分をどの様に、指で握りなげれば良いのかをボールと同じ大きさの透明な球体内側に各球種のボールを握った時の指を表示し、透明な球体外側表面から内側各球種のボールを握った指を見られるように表示し表記されている球体内側のボールを握った指の上に球体外側上から球体内側のボールを握った指を合わせ重ね球体を握り各球種のボールを握り方を覚える、球体外側表面に凸凹の縫い目模様をつければボールを握った感触を体感できる、なお凸凹模様は切削等の機械加工で形成してもよいし、予め成型時に形成するようにしてもよい、各球種の表示方法が球体内側表示されているので球体外側を何度握り持っても各球種のボールの握り方表示がみえにくくなることがない。
製造方法は透明な球体内側の生産工程省略するために半球体上部、半球体下部の内側の内側透明球体表面に着脱自在な各球種の指型を成型し半球体上部と半球体下部にのせ合わせ接続し透明球体内部に接続された各球種のボールの握り指により型に入れられた透明球体原料の内側表面に各球種ボール指を表示、表示された各球種のボールの握り指を透明球体外側表面から見える各球種のボール指の位置に指を重ね合わせ透明球体握り持ち各球種ボールの握り方を覚える。
球体外側表面に凸凹の縫い目模様を付ければボール握った感触を体感できる。
透明な球体内側の各球種の握り方の指が透明な球体外側に見えるので球体外側を何度握り持つても各球種ボールの握り方の指の位置表示が見えにくくなることがない、内部型上部、内部型下部の上に付く各球種の握り方の指は各型と一体化せず各型球体上に着脱出来るように球体面に細い凹穴を設け指型の球体面接合面側に凸ピンを作り球体面凹穴に指型の凸ピンで装着し収まり備え設けるようにする各型に付く各球種の握り方の指の厚みは薄くて良い、球体型に指型を凸ピン凹穴装着は装着例であり他の方法で固定してもよい、指型の指の厚みは指上面が透明な球体外側から各球種ボールの握り方見えれば良いので球体内部成型は浅くてよい、この様な成型なので各球種ボール握りの全型を作ることなく各球種のボールの握り指型を作り内部球体型上部、内部球体型下部に各投手握り位置にとりつけ各球種ボールの透明球体の制作時間、費用の面で節減できる、半球体内部表面内側球種ボール指表示は半球体型に指型を半球体型に装着し透明球体原料を入れ半球体内側に各球種の指の型を形成する、指型の親指は第一関節、人差し指、中指、薬指、小指は第二関節位まで指の表示をすれば各球種のボールの握り方がわかる、透明な半球体球体内部は空洞に成型し各球種のボールを握った指の型を透明な球体内側に成型する成型表示された半球上下内部表面の指型に着色、透明な上下半球体に指型を表示、透明半球体を上下合わせ球体にして球体内部の成型表示し着色された指の形、位置が球体外側表面から見え球体内側の指位置に指を合わせ球体外側を握り各球種の握り方を覚える練習用ボール。
又樹脂、ゴムなどで出来た球体外表面に各球種のボールの握り方の指位置を図１の型と図５を合わせ型に液状の樹脂、ゴム入れ球体に各球種ボールの指位置を外表面成型表示し成型された各球種のボールの指部を他の色樹脂、ゴムで成型埋め球体に各球種のボール握り方を表示する、又図１と図5で成型された樹脂ゴム球体表面に各球種のボールの握り方の指位置を成型表示された樹脂球体表面の凹みで表し凹みの上に指を乗せて樹脂球体を握り各球種の握り方を覚えられる、樹脂球体表面の凹みは各球種のボール握り方位置が分かれば良いので浅くて良い、子供用に透明な球種がわかる練習ボール、球体表面に各球種の握り方練習用ボールを縮小し子供が持てるようにしてもよい。
【図面の簡単な説明】
【０００７】
【図１】本発明の透明な半球体上部分を作る型の断面図
【図２】本発明の透明な半球体下部分を作る型の断面図
【図３】本発明の各球種ボールの握り方の指型を透明球体上部内側型表面上に備え付ける指型凸ピン断面図
【図４】本発明の各球種ボールの握り方の指型を透明球体下部内側型表面上に備え付ける指型凸ピン断面図
【図５】本発明の各球種ボールの握り方の指型を設置した半球体上型表面凹穴に指型凸ピンを差し込み入れ備え付け半球体上型に各球種ボールの握り指型を備え付けた断面図
【図６】本発明の各球種ボールの握り方の指型を設置した半球体下型表面凹穴に指型凸ピンを差し込み入れ備え付け半球体下型に各球種ボールの握り指型を備え付けた断面図
【図７】本発明の各球種ボールの握り方の指型を半球体上型に備え付け透明な原料を入れ半球体内側表面に各球種ボールの握り方指位置を立体成型した断面図
【図８】本発明の各球種ボールの握り方の指型を半球体下型に備え付け透明な原料を入れ半球体内側表面に各球種ボールの握り方指位置を立体成型した断面図
【図９】本発明の各球種ボールの握り方の指を型で成型した透明な半球体上下を合わせ球体にして各球種ボールの握り方の指位置を球体内側表面に指を立体成型した透明球体断面図
【図１０】本発明の透明球体内側表面に立体成型された各球種ボールの握り方の指を透明球体外側表面上から見た第一関節まで表示した親指正面図
【図１１】本発明の透明球体内側表面に立体成型された各球種ボールの握り方の指を透明球体外側表面上から見た第二関節まで表示した人差し指、中指正面図
【図１２】本発明の透明な半球体上を作る型の断面図
【図１３】本発明の透明な半球体下を作る型の断面図
【図１４】本発明の各球種ボールの握り方の指型を透明球体上部外側型表面上に備え付ける指型凸ピン断面図
【図１５】本発明の各球種ボールの握り方の指型を透明球体下部外側型表面上に備え付ける指型凸ピン断面図
【図１６】本発明の各球種ボールの握り方の指型を半球体外側上型表面に半球体外側上下型凹穴に指型凸ピンを差込み設け差込み設け球体外側表面に各球種ボールの握り方の指型位置を立体表示した球体型断面図
【図１７】本発明の各球種ボールの握り方の指型を半球体外側下型表面に半球体外側上下型凹穴に指型凸ピンを差込み設け差込み設け球体外側表面に各球種ボールの握り方の指型位置を立体表示した球体型断面図
【図１８】本発明の各球種ボールの握り方の指型を球体外側表面に立体成型し各球種ボールの握り方を表示した球体断面図
【図１９】本発明の各球種のボールの握り方を空洞でない球体外側表面に表示した球体断面図
【図２０】本発明の球体外側表面に立体成型された各球種ボールの握り方の指を球体外側表面上から見た第一関節まで表示した親指正面図
【図２１】本発明の球体外側表面に立体成型された各球種ボールの握り方の指を球体外側表面上から見た第二関節まで表示した人差し指、中指正面図
【発明を実施するための形態】
【０００８】
以下、本発明の実施の形態について説明する。
透明球体内側の球体上表面に着脱自在の指の型を取りっけ設け球体成型時に透明球体内側にボールを握った各球種の親指、人差し指、中指、薬指、小指を立体型成し透明球体外側表面上から成型した各球種の指位置が分かり各球種ボールの握り方がわかる練習用ボールである。
透明な半球体上部を作る為に半球体成型の上部外側型と半球体上部内側型を合わせ出来た透明球体ボール成型の半球体成型溝に透明球体原料を入れ透明球体上部半球体をつくる、又透明な半球体下部を作る為に半球体成型の下部外側型と半球体下部内側型を合わせ出来た透明球体ボール成型の半球体成型溝に透明球体原料を入れ透明球体下部半球体をつくる。
各球種ボールを球体内側に成型する時は、上部内側型、下部内側型に指型を備え付け各外側型を合わせ、半球体成型溝に透明球体原料を入れて成型する。
図1は、本発明の半球体上部内側型２表面に凹穴９を設け各球種ボール指型７を装着できるようにし透明半球体上部５を作る型の図である。
図２は、本発明の半球体下部内側型４表面に凹穴９を設け各球種ボール指型７を装着できるようにし透明半球体下部６を作る型の図である。
図３は、本発明の各球種ボールの握り方の指型７を半球体上部内側表面に各球種の指を表示できるように半球体上部内側型２表面の凹穴９に各球種の指型７を設置できるようにした指型７裏に設けた凸ピン８図である。
図４は、本発明の各球種ボールの握り方の指型７を半球体下部内側表面に各球種の指を表示できるように半球体下部内側型４表面の凹穴９に各球種の指型７を設置できるようにした指型７裏に設けた凸ピン８図である。
図５は、本発明の各球種ボールの握り方の指型７を設置した半球体上部内側型２表面設けた凹穴９に各球種ボールの指型７裏の凸ピン８を差し込み入れ備え付け半球体上部内側型２表面上に各球種ボールの握り方の指型７を備え付けた図である。
図６は、本発明の各球種ボールの握り方の指型７を設置した半球体下部内側型４表面設けた凹穴９に各球種ボールの指型７裏の凸ピン８を差し込み入れ備え付け半球体下部内側型４表面上に各球種ボールの握り型の指型７を備え付けた図である。
図７は、本発明の各球種ボールの握り方の指型７の凸ピン８を半球体上部内側型２表面凹穴９に差込み備え付け半球体上部外側型１を合わせ透明な原料を半球体上部型に入れ透明な上部半球体５内側表面に各球種ボールの握り方指１１，１２，１３位置を立体成型表示した製造図である。
図8は、本発明の各球種ボールの握り方の指型７の凸ピン８を半球体下部内側型４表面凹穴９に差込み備え付け半球体下部外側型３を合わせ透明な原料を半球体下部型に入れ透明な下部半球体６内側表面に各球種ボールの握り方指１１，１２，１３位置を立体成型表示した製造図である。
図9は、本発明の各球種ボールの握り方の指を型７で透明な上部半球体５上部内側に立体成型した半球体と各球種ボールの握り方の指を型７で透明な下部半球体６下部内側に立体成型した透明な半球体上５下６を(例)接着材、半球体淵に溝等を設けかみ合わせでつけ合わせ球体ボール状にして各球種ボールの握り方の指１１，１２，１３位置を透明球体外側表面１７から目視し指を合わせ乗せ透明球体１９を握り各球種ボール握り方を覚えられる透明球体ボール図である。
図10は、本発明の透明球体内側表面１６に立体成型された各球種ボールの握り方の指を透明球体外側表面上から見た第一関節まで表示した親指１１正面図である。
図11は、本発明の透明球体内側表面１６に立体成型された各球種ボールの握り方の指を透明球体外側表面上から見た第二関節まで表示した人差し指１２、中指１３正面図である。
図12は、本発明の半球体上部外側型１表面に凹穴９を設け各球種ボール指型７を指型７裏に設けた凸ピン８を差込み装着できるように半球体上部外側型１凹穴９を設けた型の図である。
図13は、本発明の半球体下部外側型３表面に凹穴９を設け各球種ボール指型７を指型裏に設けた凸ピン８を差込み装着できるように半球体下部外側型３凹穴９を設けた型の図である。
図14は、本発明の各球種ボールの握り方の指型７を半球体上部外側型１表面凹穴９に差し込み備え付けられるように指型７裏に凸ピン８を設けた指型７凸ピン８図である。
図15は、本発明の各球種ボールの握り方の指型７を半球体下部外側型３表面凹穴９に差し込み備え付けられるように指型７裏に凸ピン８を設けた指型７凸ピン８図である。
図16は、本発明の各球種ボールの握り方の指型７を半球体上部外側型１表面の半球体上部外側型１凹穴９に指型７の指型裏の凸ピン８を差込み設け球体上部外側表面に各球種ボールの握り方の指型７位置を型に設置球体原料を入れ球体表面に各球種ボールの指１１，１２，１３を立体表示できるようにした球体成型型図である。
図17は、本発明の各球種ボールの握り方の指型７を半球体下部外側型３表面の半球体下部外側型３凹穴９に指型７の指型裏の凸ピン８を差込み設け球体下部外側表面に各球種ボールの握り方の指型７位置を型に設置球体原料を入れ球体表面に各球種ボールの指１１，１２，１３を立体表示できるようにした球体成型型図である。
図18は、本発明の各球種のボールの握り方を半球体外側表面に各球種ボールの指位置を凸凹立体成型し各球種ボールの指型７を表示した球体図である。
図19は、本発明の各球種のボールの握り方を空洞でない球体外側表面に各球種ボールの指位置を凸凹立体成型し各球種ボールの指型７を表示した球体図である。
図20は、本発明の球体外側表面に立体成型された各球種ボールの握り方の指を球体外側表面上から見た第一関節まで表示した親指１１正面図である。
図21は、本発明の球体外側表面に立体成型された各球種ボールの握り方の指を球体外側表面上から見た第二関節まで表示した人差し指１２、中指１３正面図である。
透明球体内側表面に指型成型表示について説明する、透明な球体を分割した半球体上部外側型１と半球体上部内側球体型２上に各球種のボールの握り方の指型７の指型裏に設けた凸ピン８を半球体上部内側型２に設けた凹穴９に差し入れ指型７を半球体上部内側図９表面に設置し半球体上部外側型1と半球体上部内側球体型２を合せ型に透明球体原料を入れ各球種のボールの握り方指１１，１２，１３の指型７を半球体内側に表示した透明半球体成型上部図９成型する。
透明な球体を分割した半球体下部外側型３と半球体下部内側球体型４上に各球種のボールの握り方の指型７の指型裏に設けた凸ピン８を半球体下部内側型４に設けた凹穴９に差し入れ指型７を半球体上部内側図９表面に設置し半球体下部外側型３と半球体上部内側球体型４を合せ型に透明球体原料を入れ各球種のボールの握り方指１１，１２，１３の指型７を半球体内側に表示した透明半球体成型下部図９成型する。
又透明な球体を分割した半球体下部外側型３と半球体下部内側球体型４上に各球種のボールの握り方の指型７を半球体内側球体に設けた凹穴に指型に設けた凸ピンを差し入れ設置し半球体上部外側型３と半球体上部内側球体型４を合せ型に透明球体原料を入れ各球種のボールの握り方指７の形を半球体内側に指型を表示した透明半球体下成型する、
透明な半球体内側に成型表示された指部を無色又は着色し上下透明な半球体を合わせ球体にして各球種のボールの握り方が透明な球体ボール内側表面に内部表示された指部を見て透明球体外側表面に指を合わせ握り各球種のボールの握り方を覚える球体を握り持ち野球、ソフトボールの球種の握り方を覚えられる球体、球体内部の指型６は半球体上内側球体型２と一体型にせず指型６を分離出来るように上下部内側球体型２に設けた凹穴に指型６凸ピンを上内部球体接面にはめ込め留め出来るようにし各球種の変更の時指型６凸ピンで球体型から簡単に取り外しが出来るようにする、指型は他の方法で指型を球体型に留め付けてもよい指型をかえれば他の選手の球種ボールの成型も容易にできる、このように半球体上下部内側球体２に指型６を着脱出来るようにした球体型断面図である。    
球体内部の指型７は半球体上内側球体型４と一体型にせず指型７を分離出来るように下部内側球体型４に設けた凹穴に指型７凸ピンを上内部球体表面にはめ込め留め出来るようにし各球種の変更の時、指型７凸ピンで球体型表面から簡単に取り外しが出来るようにする、指型は他の方法で指型を球体型に留め付けてもよい指型をかえれば他の選手の球種ボールの成型も容易にできる、このように半球体上下部内側球体４に指型７を着脱出来るようにした球体型断面図である。
外側球体指型成型について説明する球体を半球体上外側型１に指型７を差し止める凹穴９を設け各球種のボールの握り方の指型７凸ピン８差し入れ球体表面に各球種の指１１，１２，１３位置を設け球体原料を入れ球体上部外側１表面に凸凹で指型７を成型表示し各球種ボール握り指１１，１２，１３を明記する、球体外側の指型７は上部外側型の表面に凹穴９を設け指型７に凸ピン８設け差し入れ留め付け着脱が容易にできるようにする外側表示の球体は空洞でなくてもよい、指表示は親指１１は第一関節、人差し指１２、中指１３は第二関節まで表示すれば各球種ボールの握り方を表現できる又  球体外側表面の指型７凹に他の色の樹肥、ゴム、プラスチックなどを埋め込み各球種ボールの指位置を表示してもよい。
【符号の説明】
【０００９】
１  半球体上部外側型
２  半球体上部内側型
３  半球体下部外側型
４  半球体下部内側型
５  透明な上部半球体
６  透明な下部半球体
７  指型
８  凸ピン
９  凹穴
１０  透明上下半球体接続面
１１  親指
１２  人差し指
１３  中指
１４  球体外側表面の凸凹のボールの縫い目
１５  球体
１６  球体内部表面
１７  透明半球体成型溝
【要約】
【課題】  従来、各球種のボールの握り方の指を透明な球体内側に印刷、シール、３Ｄ表示を提案していた。透明な球体内側側面に印刷、シールなどで指手を表示する生産工程で時間が掛かって量産製造が出来なかった。
【解決手段】球体内に各球種ボールの握り方をおぼえる為の指の型を球一体型から例、凸ピン凹穴などで球体に指型差込みそなえ設けられるようにして各球種ボールの製造が球体全体の型を作らなくても各球種、各投手の指型だけを作り半球体型に取り付ければ良いので型成型費用、時間のロスが少なくなり製造もらくになる。
【選択図】図7【図１】
0006925462.tif 000002
【図２】
0006925462.tif 000003
【図３】
0006925462.tif 000004
【図４】
0006925462.tif 000005
【図５】
0006925462.tif 000006
【図６】
0006925462.tif 000007
【図７】
0006925462.tif 000008
【図８】
0006925462.tif 000009
【図９】
0006925462.tif 000010
【図１０】
0006925462.tif 000011
【図１１】
0006925462.tif 000012
【図１２】
0006925462.tif 000013
【図１３】
0006925462.tif 000014
【図１４】
0006925462.tif 000015
【図１５】
0006925462.tif 000016
【図１６】
0006925462.tif 000017
【図１７】
0006925462.tif 000018
【図１８】
0006925462.tif 000019
【図１９】
0006925462.tif 000020
【図２０】
0006925462.tif 000021
【図２１】
0006925462.tif 000022